(57)【要約】【課題】回路規模の増大を抑制し、かつ高効率に充電を行う充電回路を提供する。【解決手段】充電回路（２ａ）は、異なる複数の発電電力を蓄電部（３）の充電に適した電力へ個別に変換することにより、蓄電部（３）へ給電する充電電流を生成する複数の電力変換回路（１０２ａ，１１１ａ）と、検出された充電電流値に基づいて充電電流の設定値を設定するとともに設定値に基づいて充電電流を制御するＭＣＵ（８ａ）とを備える。ＭＣＵ（８ａ）は、合算値が最大充電電流値を超えない範囲で最大値を維持するように少なくとも１つの設定値を変更する。【選択図】図１
2015065765.tif 000002
【特許請求の範囲】
【請求項１】
異なる複数の発電電力から蓄電部へ給電を行う充電回路であって、
複数の上記発電電力を上記蓄電部の充電に適した電力へ個別に変換することにより、上記蓄電部へ給電する充電電流を生成する複数の電力変換回路と、
上記充電電流の充電電流値を検出する充電電流検出部と、
検出された上記充電電流値に基づいて上記充電電流の設定値を設定する設定部と、
上記設定値に基づいて上記充電電流を制御する制御部と、
上記設定値の合算値と上記蓄電部に供給可能な最大の充電電流の最大充電電流値とを比較する比較部とを備え、
上記設定部は、上記合算値が上記最大充電電流値を超えない範囲で最大値を維持するように少なくとも１つの上記設定値を変更することを特徴とする充電回路。
【請求項２】
上記発電電力として商用発電による第１発電電力および太陽光発電による第２発電電力が用いられ、
上記設定部は、上記第１発電電力および上記第２発電電力から生成される上記充電電流の上記充電電流値に基づいて、それぞれ第１設定値および第２設定値を上記設定値として設定し、上記第１設定値の変更に応じて、上記第２設定値を変更することを特徴とする請求項１に記載の充電回路。
【請求項３】
上記発電電力として太陽光発電による第１発電電力および太陽光発電以外の自然エネルギーを利用した発電による第２発電電力が用いられ、
上記設定部は、上記第１発電電力および上記第２発電電力から生成される上記充電電流の上記充電電流値に基づいて、それぞれ第１設定値および第２設定値を上記設定値として設定し、上記第１設定値の変更に応じて、第２設定値を変更することを特徴とする請求項１に記載の充電回路。
【請求項４】
各電力変換回路と上記蓄電部との接続または切り離しを行うスイッチを備えることを特徴とする請求項１から３までの何れか１項に記載の充電回路。
【請求項５】
請求項１から４までの何れか１項に記載の充電回路と、上記蓄電部と、を備える充電システム。
【発明の詳細な説明】
【技術分野】
【０００１】
本発明は、複数の発電電力から蓄電部に充電を行う充電回路および充電システムに関する。
【背景技術】
【０００２】
化石燃料および核燃料等の地下資源は、長年使用され続けているエネルギー源である。しかしながら、地下資源は、有限の枯渇性資源であるとともに、価格の高騰によって入手が困難になることがあるため、安定して確保することが課題となっている。また、化石燃料を使用することにより地球温暖化等の環境問題が引き起こされるという問題、核燃料を使用することにより放射性物質が発生するという問題等がある。
【０００３】
このため、安定したエネルギーを継続して確保することを目的とした蓄電システムへの関心が高まっている。このような状況の中、太陽光発電・風力発電等の自然エネルギー（再生可能エネルギー）を用いた充電方法が開発されている。このような充電方法は、自然エネルギーと蓄電容量を安定させるための商用電力とを併用する蓄電システムにまで発展してきている。
【０００４】
例えば、特許文献１には、自然エネルギー電力と、交流電源からの電力とによりバッテリを充電させる方法が開示されている。より具体的には、充電回路が、自然エネルギー電力のみをバッテリに供給することにより、バッテリの充電を完了すべき時刻までに、バッテリの充電が完了しないと判断した場合、充電回路は、自然エネルギー電力と、交流電源からの電力とによりバッテリを充電させる。
【０００５】
図８は、特許文献１に開示される充電システムを簡素化して示すブロック図である。図示のように、充電システム２００は、太陽電池２０からの自然エネルギー電力の電圧を昇圧する昇圧コンバータ２０１と、電源コンセント２１から出力された交流電力を直流電力に変換する交流アダプタ２１１と、が並列に接続され、昇圧コンバータ２０１および交流アダプタ２１１の出力に共通のＤＣ／ＤＣ変換回路２２を介してバッテリ２３を充電する構成である。
【先行技術文献】
【特許文献】
【０００６】
【特許文献１】特開２０１２‐１８２９２２号公報（２０１２年９月２０日公開）
【発明の概要】
【発明が解決しようとする課題】
【０００７】
しかし、充電システム２００の構成では、ＤＣ／ＤＣ変換回路２２は、太陽電池２０または電源コンセント２１のうち何れか一方を選択し、バッテリ２３の充電を行うため、効率的に充電を行うことができないという問題が生じる。
【０００８】
効率的に充電を行うには、ＤＣ／ＤＣ変換回路２２において、昇圧コンバータ２０１および交流アダプタ２１１に応じた変換経路をそれぞれ設ける必要がある。このため、ＤＣ／ＤＣ変換回路２２の回路規模が大きくなるという問題がある。
【０００９】
本発明は、上記の問題点に鑑みてなされたものであって、その目的は、回路規模の増大を抑制し、かつ高効率に充電を行う充電回路を提供することにある。
【課題を解決するための手段】
【００１０】
上記の課題を解決するために、本発明の一態様に係るは、異なる複数の発電電力から蓄電部へ給電を行う充電回路であって、複数の上記発電電力を上記蓄電部の充電に適した電力へ個別に変換することにより、上記蓄電部へ給電する充電電流を生成する複数の電力変換回路と、上記充電電流の充電電流値を検出する充電電流検出部と、検出された上記充電電流値に基づいて上記充電電流の設定値を設定する設定部と、上記設定値に基づいて上記充電電流を制御する制御部と、上記設定値の合算値と上記蓄電部に供給可能な最大の充電電流の最大充電電流値とを比較する比較部とを備え、上記設定部が、上記合算値が上記最大充電電流値を超えない範囲で最大値を維持するように少なくとも１つの上記設定値を変更することを特徴としている。
【発明の効果】
【００１１】
本発明の一態様によれば、回路規模の増大を抑制し、かつ高効率に充電を行う充電回路を提供することができるという効果を奏する。
【図面の簡単な説明】
【００１２】
【図１】本発明の一実施形態に係る充電システムの構成を示す概要図である。
【図２】本発明の実施形態１に係る充電回路の一構成例を示す全体図である。
【図３】上記充電回路におけるＭＣＵの要部構成を示すブロック図である。
【図４】上記ＭＣＵの動作を示すフローチャートである。
【図５】上記ＭＣＵが制御する充電電流値の一例を示したグラフである。
【図６】本発明の実施形態２に係る充電回路の一構成例を示す全体図である。
【図７】図６に示す充電回路におけるＭＣＵの動作を示すフローチャートである。
【図８】従来の充電システムを簡素化して示すブロック図である。
【発明を実施するための形態】
【００１３】
〔充電システムの基本構成〕
本発明に係る一実施形態の概要を、図１を参照して以下に説明する。図１は、本発明の一実施形態に係る充電システムの構成を示す概要図である。図１に示すように、充電システム１は、充電回路２と、蓄電部３と、放電回路４とを備える。充電回路２は、蓄電部３へ電力を供給するものであり、給電部１０，１１，…，１ｎおよび変換回路１０１，１１１，…，１ｎ１、充電スイッチ５、電圧検出部６、電流検出部７ならびにＭＣＵ（Micro Control Unit）８を備える。
【００１４】
給電部１０，１１，…，１ｎは、異なる複数の発電電力（不図示）から電力を各々入力する。変換回路１０１，１１１，…，１ｎ１は、給電部１０，１１，…，１ｎから出力された電力を、個別に蓄電部３の充電に適した電力に各々変換する。充電スイッチ５（スイッチ）は、複数の変換回路１０１，１１１，…，１ｎ１と蓄電部３との接続または切り離しを行う。電圧検出部６は、各変換回路１０１，１１１，…，１ｎ１から出力される電圧の合算値を検出する。電流検出部７は、各変換回路１０１，１１１，…，１ｎ１から出力される電流の合算値を検出する。ＭＣＵ８は、電圧検出部６からの検出電圧および電流検出部７からの検出電流に基づいて、複数の変換回路１０１，１１１，…，１ｎ１を各々制御するとともに、充電スイッチ５を制御する。ＭＣＵ８の詳細については、図２〜５にて後述する。
【００１５】
蓄電部３は、複数の変換回路１０１，１１１，…，１ｎ１から出力された電力を、充電スイッチ５を介して蓄えるとともに、出力した電力を放電回路４に供給する。放電回路４は、蓄電部３から出力された電力を充電システム１の外部へ放電する。
【００１６】
〔実施形態１〕
（充電回路の構成例）
図２は、本発明の実施形態１に係る充電回路の一構成例を示す全体図である。本実施形態では、商用電源（商用発電）および太陽光発電からの電力を、蓄電部３へ供給する。なお、説明を簡単にするため、発電電力を２系統として説明するが、３系統以上の複数の発電電力として実施することも可能である。
【００１７】
図２に示すように、充電システム１ａは、充電回路２ａと、蓄電部３と、放電回路４とを備える。充電回路２ａは、蓄電部３へ電力を供給するものであり、商用電源給電部１０ａ、太陽光発電給電部１１ａ、ＡＣ／ＤＣ変換回路１０１ａ、ＤＣ／ＤＣ変換回路１０２ａ，１１１ａ、ダイオードＤ１，Ｄ２、充電スイッチ５、電圧検出部６、電流検出部７およびＭＣＵ（Micro Control Unit）８ａを備える。
【００１８】
商用電源給電部１０ａは、商用電源（不図示）からの電力を入力する。太陽光発電給電部１１ａは、太陽光発電からの電力（第１発電電力）を入力する。ＡＣ／ＤＣ変換回路１０１ａは、商用電源給電部１０ａから出力された電力（第２発電電力）を交流から直流に変換する。ＤＣ／ＤＣ変換回路１０２ａ（電力変換回路）は、ＡＣ／ＤＣ変換回路１０１ａが変換した直流電力を、蓄電部３に供給する適切な直流電力に変換し、充電電流を生成する。ＤＣ／ＤＣ変換回路１１１ａ（電力変換回路）は、太陽光発電給電部１１ａからの直流電力を、蓄電部３に供給する適切な直流電力に変換し、充電電流を生成する。ＤＣ／ＤＣ変換回路１０２ａおよびＤＣ／ＤＣ変換回路１１１ａのそれぞれの出力側には、ダイオードＤ１、Ｄ２を各々設ける。当該ダイオードＤ１、Ｄ２は、蓄電部３からの電流の逆流を防止するとともに、各発電電力の間に出力電圧の電位差があった場合、ＯＲ回路として機能する。
【００１９】
ＤＣ／ＤＣ変換回路１１１ａには、太陽光発電から電力を効率よく取り出す制御が施されていることが好ましい。ＭＣＵ８ａは、ＤＣ／ＤＣ変換回路１１１ａに対して、例えば、ＭＰＰＴ（Maximum Power Point Tracking）方式による制御を行う。ＭＰＰＴ方式は、常に変動する気象条件の下で、太陽光発電からの電力を最大で取り出すことができる。ＭＰＰＴ方式の詳細については、公知であるため、その説明を省略する。
【００２０】
また、商用電源給電部１０ａに入力される電力が大きい場合、ＡＣ／ＤＣ変換回路１０１ａに、図示しないＰＦＣ回路（Power factor correction）を搭載することが好ましい。ＰＦＣ回路の詳細については、公知であるため、その説明を省略する。
【００２１】
充電スイッチ５は、ＤＣ／ＤＣ変換回路１０２ａおよびＤＣ／ＤＣ変換回路１１１ａと蓄電部３との接続または切り離しを行う。なお、充電スイッチ５はなくてもよいが、後述するように、蓄電部３への浮動充電、および何らかの異常が充電回路２ａに発生した場合の緊急的な充電停止などの対策として、設置することが好ましい。充電スイッチ５の詳細については、後述する。
【００２２】
電圧検出部６は、ＤＣ／ＤＣ変換回路１０２ａおよび１１１ａから出力される電圧の合算値を検出する。電流検出部７（充電電流検出部）は、ＤＣ／ＤＣ変換回路１０２ａおよび１１１ａから出力される電流の合算値を検出する。ＭＣＵ８ａは、電圧検出部６からの検出電圧および電流検出部７からの検出電流に基づいて、ＤＣ／ＤＣ変換回路１０２ａおよびＤＣ／ＤＣ変換回路１１１ａを各々制御するとともに、充電スイッチ５を制御する。
【００２３】
蓄電部３は、ＤＣ／ＤＣ変換回路１０２ａおよびＤＣ／ＤＣ変換回路１１１ａから出力された電力を、充電スイッチ５を介して蓄えるとともに、出力した電力を放電回路４に供給する。なお、蓄電部３は、蓄電池により構成され、本実施形態では、例えば、リチウムイオンバッテリを想定する。リチウムイオンバッテリの場合、充電電流をバッテリの制限に基づく充電可能な最大の充電電流に制御するとともに、充電電圧を非常に精密に制御する必要がある。
【００２４】
放電回路４は、蓄電部３から出力された電力を負荷（不図示）へ放電する。また、蓄電部３および負荷は、充電回路２ａに対して並列に接続されているので、これにより充電回路からの供給電力を蓄電部３および負荷の両方に供給することが可能となる。
【００２５】
放電回路４は、蓄電部３から出力された電力を負荷（不図示）へ放電する。また、蓄電部３および負荷は、充電回路２ａに対して並列に接続されているので、これにより充電回路からの供給電力を蓄電部３と負荷の両方に供給が可能となる。
【００２６】
（ＭＣＵの機能）
次に、ＭＣＵ８ａの機能について詳細に説明する。
【００２７】
以降の説明では、商用電源の電力により蓄電部３に供給される電流の値を充電電流値Ｉ１とし、太陽光発電の電力により蓄電部３に供給される電流の値を充電電流値Ｉ２とする。上記の充電電流値Ｉ１，Ｉ２は、ＭＣＵ８ａによって設定された制御値（第１設定値および第２設定値）である。充電電流値Ｉ１，Ｉ２がそれぞれＤＣ／ＤＣ変換回路１０２ａおよびＤＣ／ＤＣ変換回路１１１ａによって出力された値を合算した電流値を合算充電電流値（以降、単に「合算電流値」と称する）Ｉ０とする。また、商用電源の電力により蓄電部３に供給される電流の最大値を最大充電電流値Ｉ１Ｍａｘとし、太陽光発電の電力により蓄電部３に供給される電流の値を最大充電電流値Ｉ２Ｍａｘとする。最大充電電流値Ｉ１Ｍａｘ，Ｉ２Ｍａｘを合算した電流値を最大合算充電電流値（以降、単に「最大合算電流値」と称する）Ｉ０Ｍａｘとする。上記の最大充電電流値Ｉ１Ｍａｘ，Ｉ２Ｍａｘおよび最大合算電流値Ｉ０Ｍａｘは、ＭＣＵ８ａによって設定された制御値である。
【００２８】
図３は、図２におけるＭＣＵの要部構成を示すブロック図である。図３に示すように、ＭＣＵ８ａは、比較部８１、メモリ部８２、設定部８３および制御部８４を備える。
【００２９】
比較部８１は、電流検出部７により検出された検出電流の合算値である合算電流値Ｉ０と、メモリ部８２から読み出した閾値とを比較し、比較結果を設定部８３に通知する。メモリ部８２には、閾値として、ＭＣＵ８ａに接続された蓄電部３に充電可能な、最大合算電流値Ｉ０Ｍａｘが予め格納されているとともに、ＤＣ／ＤＣ変換回路１０２ａおよびＤＣ／ＤＣ変換回路１１１ａの出力電流の最大充電電流値Ｉ１Ｍａｘおよび最大充電電流値Ｉ２Ｍａｘが、各々予め格納されている。また、蓄電部３の充電が完了したことを示す電流または電圧の値は、所定の閾値として格納されているものとする。
【００３０】
設定部８３は、比較部８１からの比較結果に基づいて、ＤＣ／ＤＣ変換回路１０２ａおよびＤＣ／ＤＣ変換回路１１１ａが出力する電流および電圧の値を設定し、当該設定値を制御部８４に通知する。特に、設定部８３は、上記の充電電流値Ｉ１，Ｉ２、最大充電電流値Ｉ１Ｍａｘ，Ｉ２Ｍａｘおよび最大合算電流値Ｉ０Ｍａｘを設定する。
【００３１】
制御部８４は、設定部８３からの設定値に基づいて、ＤＣ／ＤＣ変換回路１０２ａおよびＤＣ／ＤＣ変換回路１１１ａが出力する電流および電圧の値を制御する。
【００３２】
また、ＭＣＵ８ａ（満充電検出部）は、電圧検出部６および電流検出部７で検出された検出値（電圧値や合算電流値Ｉ０）に基づいて蓄電部３の満充電状態を検出する。ＭＣＵ８ａは、蓄電部３の満充電状態を検出すると、開放するように充電スイッチ５を制御する一方、蓄電部３の非満充電状態（満充電状態の解除）を検出すると、閉じるように充電スイッチ５を制御する。
【００３３】
また、ＭＣＵ８ａ（異常検出部）は、電圧検出部６および電流検出部７の検出値が規定の基準値を超えたときに、充電回路２ａの異常に生じていると判断する（異常を検出する）。ＭＣＵ８ａは、充電回路２ａの異常が検出された場合、開放するように充電スイッチ５を制御する。
【００３４】
さらに、ＭＣＵ８ａは、次のようにして充電制御を行う。まず、ＭＣＵ８ａは、蓄電部３に最適な充電電圧を設定するとともに、ＤＣ／ＤＣ変換回路１０２ａおよびＤＣ／ＤＣ変換回路１１１ａに充電電流の初期値を設定する。蓄電部３に十分な充電容量が無い場合、ＭＣＵ８ａは定電流充電を行うように、ＤＣ／ＤＣ変換回路１０２ａおよびＤＣ／ＤＣ変換回路１１１ａを制御する。この定電流充電において、上記の初期設定値と、ＤＣ／ＤＣ変換回路１０２ａおよびＤＣ／ＤＣ変換回路１１１ａの出力電圧とは、ＭＣＵ８ａにより充電電流の電流値を設定すれば、蓄電部３が保有する電圧値によって自動的に決定される。
【００３５】
一方、蓄電部３の電圧が上昇して蓄電部３が満充電状態に近くなった場合、最大充電電圧と蓄電部３の電圧との電位差が小さくなり、設定した電流値の充電電流を蓄電部３に流すことができなくなる。このため、ＭＣＵ８ａは定電圧充電を行うように、ＤＣ／ＤＣ変換回路１０２ａおよびＤＣ／ＤＣ変換回路１１１ａを制御する。この定電圧充電において、ＭＣＵ８ａが設定した初期充電電圧値で、定電圧充電が行われる。また、定電圧充電における電流値は、充電回路２ａの出力電圧と、蓄電部３が保有する電圧値との電位差で決定される。
【００３６】
（ＭＣＵの制御動作）
図４は、図２に示すＭＣＵの動作を示すフローチャート図である。図４に示すように、蓄電部３への充電が開始されると（ＳＴＡＲＴ）、まず、制御部８４は、ＤＣ／ＤＣ変換回路１１１ａに、太陽光発電給電部１１ａからの電力のみを蓄電部３へ充電させる（Ｓ１）。このため、ＭＣＵ８ａは、ＤＣ／ＤＣ変換回路１０２ａの動作を停止する。また、このとき、ＤＣ／ＤＣ変換回路１１１ａから出力される電力は、ＭＰＰＴ制御されることにより効率よく蓄電部３へ供給される。また、太陽光発電の電力による充電において、ＤＣ／ＤＣ変換回路１１１ａが供給可能な電流の最大充電電流値Ｉ２Ｍａｘを上限とする。
【００３７】
この充電において、電流検出部７は、蓄電部３に流れ込む電流、すなわちＤＣ／ＤＣ変換回路１０２ａおよびＤＣ／ＤＣ変換回路１１１ａからの電流の合算電流値Ｉ０を検出する（Ｓ２）。このとき、ＤＣ／ＤＣ変換回路１０２ａから電流が出力されないので、電流検出部７が合算電流値Ｉ０として検出するのはＤＣ／ＤＣ変換回路１１１ａからの電流のみである。設定部８３は、当該電流の合算電流値Ｉ０を太陽光発電の電力として充電電流値Ｉ２に設定して（Ｓ３）、メモリ部８２に充電電流値Ｉ２を格納する。
【００３８】
次に、設定部８３は、商用電源給電部１０ａから蓄電部３へ供給する電力を、暫定電流値Ｉ１ｔｅｍｐとして設定する。このとき、設定部８３は、蓄電部３に供給可能な最大合算電流値Ｉ０Ｍａｘから充電電流値Ｉ２を減算した値を、暫定電流値Ｉ１ｔｅｍｐとして一時的に設定する（Ｓ４）とともに、メモリ部８２に暫定電流値Ｉ１ｔｅｍｐを格納する。
【００３９】
そして、比較部８１は、一時的に設定された暫定電流値Ｉ１ｔｅｍｐと、メモリ部８２に予め設定されている最大充電電流値Ｉ１Ｍａｘとを比較する。暫定電流値Ｉ１ｔｅｍｐは、充電電流値Ｉ２によっては最大充電電流値Ｉ１Ｍａｘより大きくなる場合があるので、上記の比較によってその場合を判定する。暫定電流値Ｉ１ｔｅｍｐが最大充電電流値Ｉ１Ｍａｘ以下となる場合（Ｓ５においてＹＥＳ）、設定部８３は、充電電流値Ｉ１を暫定電流値Ｉ１ｔｅｍｐに設定して、メモリ部８２へ格納する（Ｓ６）。一方、暫定電流値Ｉ１ｔｅｍｐが最大充電電流値Ｉ１Ｍａｘよりも大きい場合（Ｓ５においてＮＯ）、設定部８３は、充電電流値Ｉ１を最大充電電流値Ｉ１Ｍａｘに設定して、メモリ部８２へ格納する（Ｓ７）。
【００４０】
比較部８１は、最大充電電流値Ｉ２およびＩ１を合算した合算電流値Ｉ０と、最大合算電流値Ｉ０Ｍａｘとを比較し、合算電流値Ｉ０が最大合算電流値Ｉ０Ｍａｘ以下である場合（Ｓ８においてＹＥＳ）、設定部８３は合算電流値Ｉ０＝Ｉ１＋Ｉ２を充電電流として設定し、制御部８４は、充電電流値Ｉ１およびＩ２の電流を出力するようにＤＣ／ＤＣ変換回路１０２ａおよびＤＣ／ＤＣ変換回路１１１ａを各々制御し、蓄電部３へ充電させる（Ｓ１０）。一方、電流の合算電流値Ｉ０が、最大合算電流値Ｉ０Ｍａｘより大きい場合（Ｓ８においてＮＯ）、設定部８３は、充電電流値Ｉ１から所定の値ｋを減算した値を、新たな充電電流値Ｉ１として再設定する（Ｓ９）。充電電流値Ｉ１から減算する所定の値ｋは、例えば充電電流値Ｉ１が１６Ａの場合、充電電流値Ｉ１を１０段階で処理すると、１．６Ａとなる。そして、Ｓ８以降の処理を繰り返す。
【００４１】
Ｓ１０の後、電流検出部７は、蓄電部３に充電される電流の合算電流値Ｉ０を検出し（Ｓ１１）、比較部８１は、検出された電流の合算電流値Ｉ０と、メモリ部８２に予め格納された所定の閾値とを比較する。合算電流値Ｉ０が所定の閾値未満であれば、設定部８３は、蓄電部３が充電完了であると判断し（Ｓ１２においてＹＥＳ）、太陽光発電の充電電流値Ｉ２および商用電源の充電電流値Ｉ１を各々０と設定する。
【００４２】
そして、制御部８４は蓄電部３への充電を終了させる（ＥＮＤ）。一方、電流検出部７が検出した合算電流値Ｉ０が所定の閾値以上であれば（Ｓ１２においてＮＯ）、設定部８３は蓄電部３が充電を完了していないと判断し、Ｓ１からの処理を繰り返す。
【００４３】
このように、合算電流値Ｉ０が最大合算電流値Ｉ０Ｍａｘを超えない範囲で最大値を維持するように１つの充電電流値（ここでは充電電流値Ｉ２）が変更（更新）される。これにより、複数の発電電力を同時に用いて効率よく蓄電部３への充電を行うことができる。
【００４４】
（ＭＣＵによる電流制御の例）
図５は、図２に示すＭＣＵが制御する充電電流値の一例を示した、グラフである。図５は、それぞれ期間（ａ）〜期間（ｉ）の各電流値を示す。
【００４５】
以下に説明する制御シーケンスは、ＭＣＵ８ａが行うＭＰＰＴ制御において実行される。
【００４６】
期間（ａ）は、太陽光発電の電力が無い状態で蓄電部３への充電を開始する期間である。充電を立ち上げた直後の期間（ａ）には、ＤＣ／ＤＣ変換回路１１１ａから電流が出力されないため、太陽光発電による充電電流値Ｉ２が０となる。このため、商用電源の充電電流値Ｉ１は、０から商用電源の電流の最大充電電流値Ｉ１Ｍａｘに至るまで、時間の経過とともに単調に増加する。このとき、蓄電部３へ供給される電流の合算電流値Ｉ０（＝Ｉ１＋Ｉ２）は、充電電流値Ｉ１に等しく、期間（ａ）における充電電流値Ｉ１の変化と同様に単調に増加する。
【００４７】
期間（ｂ）は、太陽光発電の電力が無い状態で蓄電部３への充電を継続する期間である。期間（ｂ）では、充電電流値Ｉ２は０を維持しているため、充電電流値Ｉ１は、ＭＣＵ８ａによって設定された電流の最大充電電流値Ｉ１Ｍａｘで一定となる。このとき、蓄電部３への供給される充電電流値Ｉ１，Ｉ２の合算値である合算充電電流値Ｉ０（＝Ｉ１＋Ｉ２）は、充電電流値Ｉ１、すなわち最大充電電流値Ｉ１Ｍａｘとなる。
【００４８】
期間（ｃ）は、太陽光発電の電力による蓄電部３への充電を開始する期間である。期間（ｃ）では、太陽光発電の充電電流値Ｉ２が増加していき、蓄電部３へ供給される電流の合算電流値Ｉ０（＝Ｉ１＋Ｉ２）が蓄電部３に供給可能な最大合算電流値Ｉ０Ｍａｘに至るまでの間、充電電流値Ｉ１は、ＭＣＵ８ａによる最大充電電流値Ｉ１Ｍａｘの設定が維持されている。このとき、合算電流値Ｉ０は、充電電流値Ｉ２と同様に単調に増加する。
【００４９】
期間（ｄ）は、合算電流値Ｉ０が、最大合算電流値Ｉ０Ｍａｘの状態で、太陽光発電の電力が上昇する期間である。期間（ｃ）では、合算電流値Ｉ０が最大合算電流値Ｉ０Ｍａｘに達すると、充電電流はこれ以上増加することができない。また、充電電流値Ｉ２は最大充電電流値Ｉ２Ｍａｘに設定されている。このため、充電電流値Ｉ１は、ＭＣＵ８ａにより、最大合算電流値Ｉ０Ｍａｘ−最大充電電流値Ｉ２Ｍａｘに設定される。これにより、充電電流値Ｉ１が上記のように設定された設定値に向けて減少していく。この結果、合算電流値Ｉ０は、一定の最大合算電流値Ｉ０Ｍａｘを超えない。すなわち、ＭＣＵ８ａが、充電電流値Ｉ１を減少させることにより、上昇する太陽光発電の電力を効率的に蓄電部３へ供給することを可能とし、合算電流値Ｉ０を最大合算電流値Ｉ０Ｍａｘに保つことができる。
【００５０】
期間（ｅ）は、太陽光発電量がＭＰＰＴ制御によりあらかじめ定められた最大量となる期間である。期間（ｅ）では、充電電流値Ｉ２が設定された最大充電電流値Ｉ２Ｍａｘに達するため、充電電流値Ｉ１は、上記の設定、最大合算電流値Ｉ０Ｍａｘ−最大充電電流値Ｉ２Ｍａｘに応じた一定値で推移する。これにより、合算電流値Ｉ０は、蓄電部３へ供給可能な最大合算電流値Ｉ０Ｍａｘが維持される。
【００５１】
期間（ｆ）は、蓄電部３に充電される電流の合算電流値Ｉ０が最大合算電流値Ｉ０Ｍａｘの状態で、太陽光発電の電力量が低下する期間である。期間（ｆ）では、充電電流値Ｉ２が減少した場合、期間（ｄ）とは逆に、ＭＣＵ８ａの制御によって充電電流値Ｉ１が増加する。このため、充電電流値Ｉ１が最大充電電流値Ｉ１Ｍａｘに至るまで増加する間、蓄電部３に供給される電流の合算電流値Ｉ０は、一定の最大合算電流値Ｉ０Ｍａｘを下回らない。すなわち、太陽光発電の電力量が低下していても、ＭＣＵ８ａが、充電給電流値Ｉ１を増加させることにより、合算電流値Ｉ０を一定の最大合算電流値Ｉ０Ｍａｘに維持することが可能となる。
【００５２】
期間（ｇ）は、合算電流値Ｉ０が最大合算電流値Ｉ０Ｍａｘの状態で、太陽光発電の電力量が低下する期間である。期間（ｇ）では、充電電流値Ｉ２が減少した場合、充電電流値Ｉ１は、ＭＣＵ８ａによって、最大充電電流値Ｉ１Ｍａｘに継続して設定される。このとき、合算電流値Ｉ０は、充電電流値Ｉ２と同様に単調に減少する。
【００５３】
期間（ｈ）は、合算電流値Ｉ０が最大合算電流値Ｉ０Ｍａｘ未満の状態で、太陽光発電の電力量が上昇する期間である。この期間（ｈ）では、合算電流値Ｉ０は、充電電流値Ｉ２と同様に変化する。
【００５４】
期間（ｉ）は、蓄電部３に供給される電流の合算電流値Ｉ０が最大合算電流値Ｉ０Ｍａｘの状態で、太陽光発電が電力を供給している期間である。この期間（ｉ）では、ＭＣＵ８ａによって、充電電流値Ｉ２は最大合算電流値Ｉ０Ｍａｘ−最大充電電流値Ｉ１Ｍａｘに設定され、充電電流値Ｉ１は最大充電電流値Ｉ１Ｍａｘに設定される。このとき、合算電流値Ｉ０は、一定の最大合算電流値Ｉ０Ｍａｘに維持される。すなわち、太陽光発電中の場合、充電電流値Ｉ１を最大にすることにより、太陽光発電の不足を補うとともに、合算電流値Ｉ０を最大に保つことができる。
【００５５】
なお、充電システム１ａにおいては、放電回路４により、充電回路２ａからの供給電力が負荷側へも供給されるので、合算電流値Ｉ０が変動する。この場合においても、蓄電部３からの放電電力と、充電回路２ａからの充電電力とによって得られる合算電流値Ｉ０で負荷側への電流供給を行うことが可能となる。
（スイッチ制御について）
次に、図２に示す充電スイッチ５について説明する。充電スイッチ５は、ＤＣ／ＤＣ変換回路１０２ａおよびＤＣ／ＤＣ変換回路１１１ａと蓄電部３との間に設置された、開閉可能なスイッチであり、前述のようにＭＣＵ８ａにより開閉が制御される。
【００５６】
上記構成によれば、充電スイッチ５はＤＣ／ＤＣ変換回路１０２ａおよびＤＣ／ＤＣ変換回路１１１ａと蓄電部３との接続または切り離しを行う。これにより、充電スイッチ５が閉じることにより蓄電部３への充電が可能となり、充電スイッチ５が開くことにより蓄電部３への充電が不可能となる。それゆえ、ＭＣＵ８ａによる充電電圧の制御とは別に、蓄電部３への充電電圧印加有無を制御することができる。
【００５７】
例えば、蓄電部３への充電が完了している場合、充電スイッチ５を開放することで、蓄電部３への充電を停止することが可能となる。これにより、蓄電部３の電極腐蝕の進行を遅らせることができる。それゆえ、蓄電部３の長寿命化を図ることが可能となる。
【００５８】
この場合、ＭＣＵ８ａは、電圧検出部６および電流検出部７の検出値を基に蓄電部３の満充電状態を判定（検出）し、開く（ＯＦＦする）ように充電スイッチ５を制御する。その後、放電回路４による放電がなされ、ＭＣＵ８ａが、電圧検出部６および電流検出部７により蓄電部３が満充電状態ではない、例えば９０％程度の容量に達したと判断した場合に、再度閉じる（ＯＮする）ように充電スイッチ５を制御する。このような制御により、再充電が行われる。これにより、常に蓄電部３に充電電圧が印加されてしまう浮動充電状態となることがなく、蓄電部３の容量が９０％以上に維持される。
【００５９】
また例えば、電圧検出部６によって検出された充電電圧が、ＭＣＵ８ａによって蓄電部３の仕様を超えると判定される場合、充電スイッチ５を開くことにより、蓄電部３への充電を停止することができる。このため、過充電により引き起こされる、蓄電部３の損傷を防止することができる。
【００６０】
〔実施形態２〕
本発明の他の実施形態について、図６および図７に基づいて説明すれば、以下のとおりである。なお、説明の便宜上、前記実施形態にて説明した部材と同じ機能を有する部材については、同じ符号を付記し、その説明を省略する。
【００６１】
（充電回路の構成例）
図６は、本発明の実施形態２に係る充電回路の一構成例を示す全体図である。本実施形態では、異なる２つの自然エネルギーによる電力の組み合わせの一例であり、実施形態１でも使用した太陽光発電による電力と、太陽光発電以外の自然エネルギーを利用した風力発電による電力とを、蓄電部３へ供給する。なお、説明を簡単にするため、発電電力を２系統として説明するが、３系統以上の複数の発電電力として実施することも可能である。
【００６２】
図６に示すように、充電システム１ｂは、充電回路２ｂと、蓄電部３と、放電回路４とを備える。充電回路２ｂは、蓄電部３へ電力を供給するものであり、風力発電給電部１０ｂ（正極），１１ｂ（負極）、太陽光発電給電部１２ａ、ＤＣ／ＤＣ変換回路１０１ｂ，１２１ａ、ダイオードＤ１，Ｄ２、充電スイッチ５、電圧検出部６、電流検出部７、ＭＣＵ（Micro Control Unit）８ｂ、ダミー負荷部９１、およびダミー負荷部スイッチ９２を備える。
【００６３】
実施形態１と異なる点は、交流電圧を出力する商用電源ではなく直流電圧を出力する風力発電を利用していることである。このため、充電回路２ｂは、ＡＣ／ＤＣ変換回路を備えておらず、かつダミー負荷部９１およびダミー負荷部スイッチ９２を追加する構成となっている。
【００６４】
風力発電給電部１０ｂは、風力発電による電力（第２発電電力）を入力する。ＤＣ／ＤＣ変換回路１０１ｂ（電力変換回路）は、風力発電給電部１０ｂから入力されるからの直流電力を、蓄電部３に印加する適切な直流電力に変換する。
【００６５】
ここで、風力発電では、回転したモータからの出力を電気信号へと変換する発電機が必要である。また、当該発電機が変換した電気信号を出力する方式は、直流出力、交流三相出力等、いくつかある。しかしながら、本実施形態では、風力発電の発電機および電気信号の出力方式については、どのようなものでもよい。ここでは、直流の風力発電の電力が、風力発電給電部１０ｂに入力された以降の充電電圧および充電電流の制御について述べる。
【００６６】
太陽光発電給電部１２ａは、太陽光発電からの電力（第１発電電力）を入力する。ＤＣ／ＤＣ変換回路１２１ａ（電力変換回路）は、太陽光発電給電部１２ａを介して入力される直流電力を、蓄電部３に供給する適切な直流電力に変換する。
【００６７】
ダイオードＤ１，Ｄ２は、ＤＣ／ＤＣ変換回路１０１ｂおよびＤＣ／ＤＣ変換回路１２１ａのそれぞれの出力側に各々設けられている。
【００６８】
また、ＤＣ／ＤＣ変換回路１０１ｂおよびＤＣ／ＤＣ変換回路１２１ａには、風力発電および太陽光発電から電力を各々効率よく取り出す制御が施されていることが好ましい。このため、ＭＣＵ８ｂは、実施形態１におけるＭＣＵ８ａと同様、ＤＣ／ＤＣ変換回路１０１ｂおよびＤＣ／ＤＣ変換回路１２１ａに対して、例えば、ＭＰＰＴ方式による制御を行う。
【００６９】
充電スイッチ５は、ＤＣ／ＤＣ変換回路１０１ｂおよびＤＣ／ＤＣ変換回路１２１ａと蓄電部３との接続または切り離しを行う。蓄電部３には、ＤＣ／ＤＣ変換回路１０１ｂおよびＤＣ／ＤＣ変換回路１２１ａから出力された電力が、充電スイッチ５を介して供給される。なお、実施形態１と同様、充電スイッチ５はなくてもよいが、実施形態１で説明した理由から、設置することが好ましい。
【００７０】
ＭＣＵ８ｂは、実施形態１におけるＭＣＵ８ａと同様な機能を有するが、ＤＣ／ＤＣ変換回路１０１ｂおよびＤＣ／ＤＣ変換回路１２１ａの出力電圧および出力電流に対して、充電電圧および充電電圧の制御を行うことがＭＣＵ８ａと異なる。また、ＭＣＵ８ｂは、ＭＣＵ８ａと同様に充電スイッチ５の開閉を制御するだけでなくダミー負荷部スイッチ９２の開閉を制御する。
【００７１】
ダミー負荷部９１は、風力発電の発電機（不図示）に接続する負荷である。ダミー負荷部スイッチ９２は、ダミー負荷部９１と風力発電の発電機との接続または切り離しを行う開閉可能なスイッチである。ダミー負荷部９１の一端は、ＤＣ／ＤＣ変換回路１０１ｂの正極出力端子（風力発電給電部１０ｂと対応する）とダイオードＤ１との間に接続され、ダミー負荷部９１の他端はダミー負荷部スイッチ９２の一端に接続されている。ダミー負荷部スイッチ９２の他端は、ＤＣ／ＤＣ変換回路１０１ｂの負極出力端子（風力発電給電部１１ｂ）に接続されている。
【００７２】
ダミー負荷部スイッチ９２が閉じることにより、風力発電給電部１０ｂ，１１ｂの間に接続される風力発電の発電機（不図示）に負荷を与えることが可能となり、ダミー負荷部スイッチ９２が開くことにより、蓄電部３への給電を可能とする。これにより、風力発電の過回転を防止することが可能となる。
【００７３】
（ＭＣＵの制御動作）
図７は、図６に示すＭＣＵの動作を示すフローチャート図である。
【００７４】
以降の説明では、太陽光発電の電力により蓄電部３に供給される電流の値を充電電流値Ｉ２とし、風力発電の電力により蓄電部３に供給される電流の値を充電電流値Ｉ３とする。上記の充電電流値Ｉ２，Ｉ３は、ＭＣＵ８ｂによって設定された制御値である。充電電流値Ｉ２，Ｉ３がそれぞれＤＣ／ＤＣ変換回路１０１ｂおよびＤＣ／ＤＣ変換回路１２１ａによって出力された値を合算した電流値を合算充電電流値（以降、単に「合算電流値」と称する）Ｉ０とする。また、太陽光発電の電力により蓄電部３に供給される電流の値を最大充電電流値Ｉ２Ｍａｘとし、風力発電の電力により蓄電部３に供給される電流の最大値を最大充電電流値Ｉ３Ｍａｘとする。最大充電電流値Ｉ２Ｍａｘ，Ｉ３Ｍａｘを合算した電流値を最大合算充電電流値（以降、単に「最大合算電流値」と称する）Ｉ０Ｍａｘとする。上記の最大充電電流値Ｉ２Ｍａｘ，Ｉ３Ｍａｘおよび最大合算電流値Ｉ０Ｍａｘは、ＭＣＵ８ｂによって設定された制御値である。
【００７５】
図７に示すように、蓄電部３への充電が開始されると（ＳＴＡＲＴ）、まず、太陽光発電給電部１２ａからの電力のみを蓄電部３へ充電させる（Ｓ１０１）。このため、ＭＣＵ８ｂは、ＤＣ／ＤＣ変換回路１０１ｂの動作を停止させる。また、このとき、ＤＣ／ＤＣ変換回路１２１ａから出力される充電電流値Ｉ２は、ＭＣＵ８ｂによりＭＰＰＴ制御されており、ＤＣ／ＤＣ変換回路１２１ａが供給可能な最大充電電流値Ｉ２Ｍａｘを上限とする。そして、ＤＣ／ＤＣ変換回路１２１ａから出力された充電電流値Ｉ２を暫定電流値Ｉ２ｔｅｍｐとして、一時的に設定する（Ｓ１０２）。
【００７６】
次に、風力光発電給電部１１ｂからの電力のみを蓄電部３へ充電させる（Ｓ１０３）。このため、ＭＣＵ８ｂは、ＤＣ／ＤＣ変換回路１２１ａの動作を停止させる。また、このとき、ＤＣ／ＤＣ変換回路１０１ｂから出力される電力の電流値Ｉ３は、ＭＣＵ８ｂによりＭＰＰＴ制御されており、ＤＣ／ＤＣ変換回路１０１ｂが供給可能な最大充電電流値Ｉ３Ｍａｘを上限とする。そして、ＤＣ／ＤＣ変換回路１０１ｂから出力された電流値Ｉ３を暫定電流値Ｉ３ｔｅｍｐとして、一時的に設定する（Ｓ１０４）。
【００７７】
暫定電流値Ｉ２ｔｅｍｐおよびＩ３ｔｅｍｐの合算値が最大合算電流値Ｉ０Ｍａｘ以下の場合（Ｓ１０５においてＹＥＳ）、Ｉ２＝Ｉ２ｔｅｍｐおよびＩ２＝Ｉ３ｔｅｍｐとして各々設定する（Ｓ１０７）。一方、暫定電流値Ｉ２ｔｅｍｐおよびＩ３ｔｅｍｐの合算値がＩ０Ｍａｘより大きい場合（Ｓ１０５においてＮＯ）、暫定電流値Ｉ２ｔｅｍｐから所定の値ｋを減算した値を、新たな暫定電流値Ｉ２ｔｅｍｐとして再設定し（Ｓ１０６）、Ｓ１０５以降の処理を繰り返す。ここで用いる値ｋは、実施形態１で用いた値ｋである。
【００７８】
設定された充電電流値Ｉ２およびＩ３の合算電流値Ｉ０が最大合算電流値Ｉ０Ｍａｘ以下の場合（Ｓ１０８においてＹＥＳ）、Ｉ０＝Ｉ２＋Ｉ３を充電電流として蓄電部３へ充電させる（Ｓ１１０）。一方、合算電流値Ｉ０が最大合算電流値Ｉ０Ｍａｘより大きい場合（Ｓ１０８においてＮＯ）、充電電流値Ｉ２から所定の値ｋを減算した値を、新たな充電電流値Ｉ２として再設定し（Ｓ１０９）、Ｓ１０８以降の処理を繰り返す。
【００７９】
これらのシーケンスにおいて、Ｓ１０６およびＳ１０９の処理では、充電電流値Ｉ２（太陽光発電側の電流設定値）から値ｋを減算している。この処理によって、ＭＰＰＴ処理で得られた自然エネルギーからの最大点からはずれてしまう。これは、太陽光発電の方が風力発電よりも比較的変動が緩やかであることから、上記の処理を行うのであり、また、実際にはここでの演算処理を単純化することにより、再度ＭＰＰＴ判定を早くやり直す方が環境条件において変動の大きい自然エネルギーを効率よく取り出すことが可能となる。また、ここで説明を省略しているＭＣＵ８ｂのＭＰＰＴ処理部分において、最大合算電流値Ｉ０Ｍａｘと暫定電流値Ｉ２ｔｅｍｐおよびＩ３ｔｅｍｐとをパラメータとして用いることにより、ＭＰＰＴ処理内で合算電流値をＩ０を最大合算電流値Ｉ０Ｍａｘよりも小さな値として設定することも可能である。
【００８０】
そして、蓄電部３に供給される合算電流値Ｉ０が、所定の閾値未満であれば、蓄電部３が充電完了であると判断され（Ｓ１１１においてＹＥＳ）、充電を完了する。このとき、ダミー負荷部スイッチ９２は閉じ（ＯＮ）（Ｓ１１２）、充電スイッチ５は開く（ＯＦＦ）（Ｓ１１３）。これにより、充電が完了した後の風力発電にダミー負荷部９１が接続されるので、風力発電の過回転を防止することができる。また、充電を再開する場合には、充電スイッチ５を閉じた後に、ダミー負荷部スイッチ９２を開く。
【００８１】
なお、合算電流値Ｉ０が、所定の閾値以上であれば、蓄電部３が充電中であると判断され（Ｓ１１１においてＮＯ）、Ｓ１０１からの処理が繰り返される。
【００８２】
このように、合算電流値Ｉ０が最大合算電流値Ｉ０Ｍａｘを超えない範囲で最大値を維持するように１つの充電電流値（ここでは充電電流値Ｉ２）が変更（更新）される。これにより、複数の発電電力を同時に用いて効率よく蓄電部３への充電を行うことができる。
【００８３】
〔まとめ〕
本発明の態様１に係る充電回路（２，２ａ，２ｂ）は、異なる複数の発電電力から蓄電部（３）へ給電を行う充電回路であって、複数の上記発電電力を上記蓄電部の充電に適した電力へ個別に変換することにより、上記蓄電部へ給電する充電電流を生成する複数の電力変換回路（１０１〜１ｎ１，１０１ｂ，１０２ａ，１１１ａ，１２１ａ）と、上記充電電流の充電電流値を検出する充電電流検出部（電流検出部７）と、検出された上記充電電流値に基づいて上記充電電流の設定値を設定する設定部（８２）と、上記設定値に基づいて上記充電電流を制御する制御部（８４）と、上記設定値の合算値と上記蓄電部に供給可能な最大の充電電流の最大充電電流値とを比較する比較部（８１）とを備え、上記設定部が、上記合算値が上記最大充電電流値を超えない範囲で最大値を維持するように少なくとも１つの上記設定値を変更する。
【００８４】
上記の構成によれば、ある発電電力の電力量が変動した場合、これに応じて当該発電電力から得られる充電電流と、当該充電電流に基づく設定値も変動する。例えば、当該発電電力が増加した場合、合算値も増加するので、比較部により、合算値が最大充電電流を超えると判定される。この場合、設定部により、合算値が上記最大充電電流値を超えない範囲で最大値を維持するように少なくとも１つの設定値が変更される。例えば、設定値が変更されるのは、増加した発電電力による充電電流であってもよいが、増加した発電電力以外の発電電力による充電電流であってもよい。増加した発電電力以外の発電電力による充電電流の設定値が変更されると、増加した発電電力による合算値の増加分が補正され。この場合、制御部により、変更された設定値に基づいて、該当する電力変換回路の充電電流が減少するように制御される。
【００８５】
このように、個々の充電電流を制御することより、複数の発電電力から同時に蓄電部に対して充電することができる。また、合算値が最大充電電流値を超えない範囲で最大値に維持されるので、上記のように、ある発電電力の充電電流が変動しても、その変動分を補正するように他の充電電流が制御される。さらに、充電電流を生成する電力変換回路が発電電力毎に設けられているので、従来の充電回路のように、共通の電力変換回路を設ける必要がなくなる。
【００８６】
本発明の態様２に係る充電回路は、上記態様１において、上記発電電力として商用発電による第１発電電力および太陽光発電による第２発電電力が用いられ、上記設定部が、上記第１発電電力および上記第２発電電力から生成される上記充電電流の上記充電電流値に基づいて、それぞれ第１設定値および第２設定値を上記設定値として設定し、上記第１設定値の変更に応じて、上記第２設定値を変更してもよい。
【００８７】
上記構成によれば、供給可能な最大の第２発電電力（太陽光発電による電力）を蓄電部に供給するとともに、蓄電部に供給する最大充電電流値に対する充電電流の過不足分は、第１発電電力（商用発電による電力）で調整することができる。このため、自然エネルギーである太陽光を利用した発電の電力を無駄なく使用した上で、安定して蓄電部へ電力を供給することができる。それゆえ、充電時間を短縮することが可能となる。
【００８８】
本発明の態様３に係る充電回路は、上記態様１において、上記発電電力として太陽光発電による第１発電電力および太陽光発電以外の自然エネルギーを利用した発電による第２発電電力が用いられ、上記設定部が、上記第１発電電力および上記第２発電電力から生成される上記充電電流の上記充電電流値に基づいて、それぞれ第１設定値および第２設定値を上記設定値として設定し、上記第１設定値の変更に応じて、第２設定値を変更してもよい。
【００８９】
上記構成によれば、供給可能な最大の第１発電電力（太陽光発電による電力）を蓄電部に供給するとともに、蓄電部に供給する最大充電電流値に対する充電電流の過不足分は、第２発電電力（太陽光以外の自然エネルギーを利用した発電による電力）で調整することができる。このため、自然エネルギーである太陽光を利用した発電の電力を無駄なく使用した上で、安定して蓄電部へ電力を供給することができる。それゆえ、充電時間を短縮することが可能となる。
【００９０】
また、太陽光発電は、比較的変動が緩やかであるため、設定部および制御部の処理を単純化することができる。それゆえ、太陽光以外の変動の大きい自然エネルギーを利用した発電の電力を効率よく取り込むことができる。
【００９１】
本発明の態様４に係る充電回路は、上記態様１から３において、上記各電力変換回路と上記蓄電部との接続または切り離しを行うスイッチを備えていてもよい。
【００９２】
上記構成によれば、スイッチは電力変換回路と蓄電部とを接続する。このため、スイッチを閉路することにより蓄電部への充電が可能となり、スイッチを開路することにより蓄電部への充電が停止される。それゆえ、上記蓄電部への充電電圧の印加を制御することができる。
【００９３】
本発明の態様５に係る充電回路は、上記態様４において、上記蓄電部の満充電状態を検出する満充電検出部（ＭＣＵ８，ＭＣＵ８ａ，ＭＣＵ８ｂ）を備え、上記スイッチが、上記蓄電部の満充電状態が検出された場合に開放し、上記蓄電部の満充電状態の解除が検出された場合に閉じてもよい。
【００９４】
上記構成によれば、蓄電部が満充電である場合、スイッチが開放され、満充電状態が検出されない（充電を再開させる）場合、スイッチが閉じる。このため、スイッチを開放することにより蓄電部への充電を停止しても、蓄電部の状態（容量減少）に応じてスイッチを閉じることで、蓄電部への充電を再開することが可能となる。それゆえ、容易に浮動充電が回避されるので、蓄電部の電極腐蝕の進行を遅らせて、蓄電部の長寿命化を図ることが可能となる。
【００９５】
本発明の態様６に係る充電回路は、上記態様４または５において、上記充電回路の異常を検出する異常検出部（ＭＣＵ８，ＭＣＵ８ａ，ＭＣＵ８ｂ）を備え、上記スイッチが、上記充電回路の異常が検出された場合に開放してもよい。
【００９６】
上記構成によれば、充電回路に異常が生じた場合、蓄電部の仕様を超える電圧が蓄電部に印加されるといった不具合が生じる。このような異常が検出されると、スイッチが開放するので、蓄電部への給電を停止することができる。このため、過充電により引き起こされる、蓄電部の損傷を防止することができる。
【００９７】
本発明に係る充電システムは、上記態様１から６の充電回路と、上記蓄電部とを備えている。
【００９８】
上記の構成によれば、複数の発電電力から同時に蓄電部に対して充電すること、ある発電電力の充電電流の変動分を補正するように他の充電電流を制御すること、および各発電電力に共通の電力変換回路を設ける必要がなくなる。
【００９９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１００】
本発明は、複数の発電電力を用いた充電回路および充電システムに好適に利用することができる。
【符号の説明】
【０１０１】
１，１ａ，１ｂ  充電システム
２，２ａ，２ｂ  充電回路
３    蓄電部
４    放電回路
５    充電スイッチ（スイッチ）
７  電流検出部（検出部）
８，８ａ，８ｂ  ＭＣＵ（満充電検出部、異常検出部）
９１  ダミー負荷部
９２  ダミー負荷部スイッチ
１０  給電部
１０ａ  商用電源給電部
１０ｂ，１１ｂ  風力発電給電部
１１ａ，１２ａ  太陽光発電給電部
８１  比較部
８２  メモリ部
８３  設定部
８４  制御部
１０１〜１ｎ１  変換回路（電力変換回路）
１０１ａ  ＡＣ／ＤＣ変換回路
１０１ｂ，１０２ａ，１１１ａ，１２１ａ，１２１ｂ  ＤＣ／ＤＣ変換回路（電力変換回路）
Ｉ０  合算電流値
Ｉ１，Ｉ２  充電電流値
Ｉ０Ｍａｘ  最大合算電流値
Ｉ１Ｍａｘ，Ｉ２Ｍａｘ  最大充電電流値
【図１】
2015065765.tif 000003
【図２】
2015065765.tif 000004
【図３】
2015065765.tif 000005
【図４】
2015065765.tif 000006
【図５】
2015065765.tif 000007
【図６】
2015065765.tif 000008
【図７】
2015065765.tif 000009
【図８】
2015065765.tif 000010